(57)【要約】【課題】簡易に装着可能でありながら、七五三等の記念撮影やイベントでの使用に十分な満足感を与えることができ、また、多数のパーツを取り換えて幅広い仮装に利用可能な、仮装用衣装セットとその製作方法を提供する。【解決手段】胴部101、袖部102および脚部103を一体に備えるとともに、背中部104に開閉部107を備える衣装本体100と、胴部の前面に着脱可能に装着される胴部用装飾具110、胴部の肩部106に着脱可能に装着される肩部用装飾具120、袖部の表面に着脱可能に装着される袖部用装飾具130、脚部の正面に着脱可能に装着される脚部用装飾具140を備える構成とする。胴部用および肩部用装飾具を、複数枚の薄い横長の金属板112を部分的に重なるとともに１本または複数本の縦向きで多数列に並ぶ太糸の連結紐113により連結して吊り下げる構造とする。【選択図】図１
2020033670.tif 000002
【特許請求の範囲】
【請求項１】
胴部、袖部および脚部を一体に備えるとともに、背中部に開閉部を備える衣装本体と、
前記胴部の前面に着脱可能に装着される胴部用装飾具、前記胴部の肩部に着脱可能に装着される肩部用装飾具、前記袖部の表面に着脱可能に装着される袖部用装飾具、前記脚部の正面に着脱可能に装着される脚部用装飾具のうち、いずれか一または複数の装飾具を備えることを特徴とする仮装用衣装セット。
【請求項２】
前記胴部用および／または肩部用装飾具が、多数枚の薄い横長の金属板を部分的に多数段に重ねるとともに１本または複数本の縦向きで多数列に並ぶ太糸の連結紐により連結して吊り下げる構造をなしていることを特徴とする請求項１記載の仮装用衣装セット。
【請求項３】
前記胴部用装飾具が、前記胴部の前面上部に着脱可能に装着される胴部上装飾具と、当該胴部上装飾具に一体に吊り下げられる複数列の胴部下装飾部から構成され、さらに背中側で着脱される着脱用ベルトを備えていることを特徴とする請求項１または請求項２記載の仮装用衣装セット。
【請求項４】
頭部用装飾具を備える頭部装着体を備え、前記頭部用装飾具が、側面から背後にかけて広幅の鍔部を備え、当該鍔部が、多数枚の薄い横長の金属板を部分的に多数段に重ねるとともに１本または複数本の縦向きで多数列に並ぶ太糸の連結紐により連結して吊り下げる構造をなしていることを特徴とする請求項１ないし請求項３のいずれか一項に記載の仮装用衣装セット。
【請求項５】
袖部がなく、左右の前垂れ部と背中部からなる外装体をさらに備えることを特徴とする請求項１ないし請求項４のいずれか一項に記載の仮装用衣装セット。
【請求項６】
胴部、袖部および脚部を一体に備えるとともに、背中部に開閉部を備える衣装本体を製作する工程と、
前記胴部の前面に着脱可能に装着される胴部用装飾具、前記胴部の肩部に着脱可能に装着される肩部用装飾具、前記袖部の表面に着脱可能に装着される袖部用装飾具、前記脚部の正面に着脱可能に装着される脚部用装飾具を製作する工程を備えることを特徴とする仮装用衣装セットの製作方法。
【請求項７】
胴部用装飾具および／または肩部用装飾具を製作するにあたり、多数枚の薄い横長の金属板を部分的に多数段に重ねるとともに１本または複数本の縦向きで多数列に並ぶ太糸の連結紐により連結することにより、それら装飾具を製作することを特徴とする請求項６記載の仮装用衣装セットの製作方法。
【発明の詳細な説明】
【技術分野】
【０００１】
本発明は、写真撮影やイベント等において着用することが可能な仮装用衣装セットと仮装用衣装セットの製作方法に関する。
【背景技術】
【０００２】
我が国では、成人式に振袖を着用して式典に出席する女性が多い。また、七五三のお祝い等には子供用の着物を子供に着せて、神社等に出かけたり、写真スタジオで記念撮影をしたりする習慣がある。近頃は、男の子用の着物（袴）に替えて、兜と鎧からなる甲冑の衣装を着用させて、戦国武将のいで立ちで記念撮影に臨ませるスタジオも出現している。
【０００３】
また、近年の戦国武将の人気や全国各地のお城の人気の向上、観光を目的とする訪日外国人等の増加に合わせて、各地の観光施設において、観光客向けに簡易的に着物や甲冑等を仮装させるサービスを行っているところが増えている。
【０００４】
しかしながら、従来のものは、非常に簡易的な衣装で、サービスを受ける観光客やユーザーを十分に満足させるものではなく、また、本物志向の衣装は、衣装自体が重かったり、着付けに時間がかかりすぎて手軽に利用しにくいという問題点があった。このような問題点は、着付けをさせる子供や、少ない時間で多くの場所を回りたいと考える観光客にとってはネックとなっていた。
【０００５】
仮装用の衣装に関して、例えば実用新案登録第３１１１９５８号公報に開示のもの（特許文献１）、特開２０１７−１５５３６９号公報に開示の変身用帽子（特許文献２）、実用新案登録第３１５２２８４号公報に開示の衣装製作キット（特許文献３）の例が提案されている。
【先行技術文献】
【特許文献】
【０００６】
【特許文献１】実用新案登録第３１１１９５８号公報
【特許文献２】特開２０１７−１５５３６９号公報
【特許文献３】実用新案登録第３１５２２８４号公報
【発明の概要】
【発明が解決しようとする課題】
【０００７】
しかしながら、特許文献１の衣装や特許文献２の変身用帽子は、パーティー用のコスチュームや遊び用の帽子としては好適であるが、非常に簡易的なものであり、特許文献３の衣装製作キットは、幼い子供向けの衣装製作や、イベント用の簡易な衣装を製作するには好適であるが、特許文献１、２の例と同様に非常に簡易的である点に変わりがない。
【０００８】
本発明は、上記に鑑みてなされたもので、簡易に装着可能でありながら、七五三等の記念撮影やイベントでの使用に十分な満足感を与えることができ、また、多数のパーツを取り換えて幅広い仮装に利用可能な、仮装用衣装セットと仮装用衣装セットの製作方法を提供することを目的とする。
【課題を解決するための手段】
【０００９】
上記課題を解決するために、本発明に係る仮装用衣装セットは、
胴部、袖部および脚部を一体に備えるとともに、背中部に開閉部を備える衣装本体と、
前記胴部の前面に着脱可能に装着される胴部用装飾具、前記胴部の肩部に着脱可能に装着される肩部用装飾具、前記袖部の表面に着脱可能に装着される袖部用装飾具、前記脚部の正面に着脱可能に装着される脚部用装飾具のうち、いずれか一または複数の装飾具を備えることを主要な特徴とする。
【００１０】
本発明に係る仮装用衣装セットは、前記胴部用および／または肩部用装飾具が、多数枚の薄い横長の金属板を部分的に多数段に重ねるとともに１本または複数本の縦向きで多数列に並ぶ太糸の連結紐により連結して吊り下げる構造をなしていることを第２の特徴とする。
【００１１】
本発明に係る仮装用衣装セットは、前記胴部用装飾具が、前記胴部の前面上部に着脱可能に装着される上部装飾具と、当該上部装飾具に一体に吊り下げられる複数列の下部装飾具から構成され、さらに背中側で着脱される着脱用ベルトを備えていることを第３の特徴とする。
【００１２】
本発明に係る仮装用衣装セットは、頭部用装飾具を備える頭部装着体を備え、前記頭部用装飾具が、側面から背後にかけて広幅の鍔部を備え、当該鍔部が、多数枚の薄い横長の金属板を部分的に多数段に重ねるとともに１本または複数本の縦向きで多数列に並ぶ太糸の連結紐により連結して吊り下げる構造をなしていることを第４の特徴とする。
【００１３】
本発明に係る仮装用衣装セットは、袖部がなく、左右の前垂れ部と背中部からなる外装体をさらに備えることを第５の特徴とする。
【００１４】
本発明に係る仮装用衣装セットの製作方法は、
胴部、袖部および脚部を一体に備えるとともに、背中部に開閉部を備える衣装本体を製作する工程と、
前記胴部の前面に着脱可能に装着される胴部用装飾具、前記胴部の肩部に着脱可能に装着される肩部用装飾具、前記袖部の表面に着脱可能に装着される袖部用装飾具、前記脚部の正面に着脱可能に装着される脚部用装飾具を製作する工程を備えることを第１の特徴とする。
【００１５】
本発明に係る仮装用衣装セットの製作方法は、
胴部用装飾具および／または肩部用装飾具を製作するにあたり、多数枚の薄い横長の金属板を部分的に多数段に重ねるとともに１本または複数本の縦向きで多数列に並ぶ太糸の連結紐により連結することにより、それら装飾具を製作することを第２の特徴とする。
【発明の効果】
【００１６】
以上説明したように、本発明に係る仮装用衣装セットによると、衣装本体を、胴部、袖部および脚部を一体に備えるとともに、背中部に開閉部を備える構成としたから、小さな子供であっても容易に装着することが可能であり、また、前記胴部の前面に着脱可能に装着される胴部用装飾具、前記胴部の肩部に着脱可能に装着される肩部用装飾具、前記袖部の表面に着脱可能に装着される袖部用装飾具、前記脚部の正面に着脱可能に装着される脚部用装飾具のうち、いずれか一または複数の装飾具を備えることとしたから、例えば、かかる装飾具を鎧形状とすることにより、七五三等の記念撮影やイベントでの使用に十分な満足感を与えることができるという優れた効果を奏する。
【００１７】
また、本発明に係る仮装用衣装セットによると、それら装飾具を衣装本体に着脱可能としたから、多数のパーツを取り換えて幅広い仮装に利用できるという優れた効果を奏する。
【００１８】
さらに、前記胴部用および／または肩部用装飾具が、多数枚の薄い横長の金属板を部分的に重ねるとともに１本または複数本の縦向きで多数列に並ぶ太糸の連結紐により連結して吊り下げる構造としたから、軽量でありながら本格的な鎧形状の装飾具を製作することができ、小さな子供や女性であっても、重量を気にすることなく容易に仮装できるという優れた効果を奏する。
【図面の簡単な説明】
【００１９】
【図１】仮装用衣装セットの全体構成図、
【図２】衣装本体の正面図
【図３】胴部用装飾具の正面図、
【図４】肩部用装飾具の斜視図、
【図５】（Ａ）は袖部用装飾具の平面図、（Ｂ）は袖部用装飾具の背面図、
【図６】（Ａ）は脚部用装飾具の平面図、（Ｂ）は脚部用装飾具の背面図、
【図７】頭部装飾体の斜視図である。
【発明を実施するための最良の形態】
【００２０】
本発明を実施するための形態について、図面を参照して説明する。図１は仮装用衣装セットＳの着用状態図である。同仮装用衣装セットＳの構成について最初に説明する。
【００２１】
仮装用衣装セットＳは、図１に示すように、衣装本体１００と、頭部装着体２００と、外装体３００の組み合わせからなり、図示例のものは子供用の大きさとなっている。
【００２２】
衣装本体１００は、図２に示すように、胴部１０１と左右の袖部１０２と左右の脚部１０３がつなぎ状に一体化された構成をしており、胴部１０１の背中部１０４には、上端開口部１０５から途中の腰部付近まで背中部１０４を開閉するチャック部１０７が設けられている。衣装本体１００は通気性の良い布素材からなり、表面には仮装にマッチした柄や模様が施されている。
【００２３】
胴部１０１の前面上部には、胴部用装飾具１１０を取り付けるためのホック１０８Ａが左右に設けられている。胴部用装飾具１１０は、図３に示すように、１枚の上部装飾具１１０Ａと、３枚の横に並ぶ下部装飾具１１０Ｂ〜１１０Ｄから構成されている。上部装飾具１１０Ａは、複数の横長で薄板状の金属板１１２を、黒色系の太糸からなり横に多数列で密に並ぶ一定長さの連結紐１１３により、上下に部分的に互いに重なるように連結して吊り下げる構造をしている。金属板１１２はアルミニウムや真鍮等の軽量な素材からなる。
【００２４】
３枚の下部装飾具１１０Ｂ〜１１０Ｄのうち、中央の下部装飾具１１０Ｂは上部装飾具１１０Ａと略同一の幅をもち、ベルト通し部１１４を介して上部装飾具１１０Ａの最下段の金属板１１２に連結されている。また、中央の下部装飾具１１０Ｂは、上部装飾具１１０Ａと同様に、複数の横長で薄板状の金属板１１２を、黒色系の太糸からなり横に多数列で密に並ぶ一定長さの連結紐１１３により、上下に部分的に互いに重なるように連結して吊り下げる構造をしている。
【００２５】
左右の下部装着具１１０Ｃ、１１０Ｄは、中央の下部装飾具１１０Ｂの幅よりも狭い幅をもち、前記ベルト通し部１１４に左右に通された着脱ベルト１１５にベルト固定部１１６を介して固定されている。左右の下部装飾具１１０Ｃ、１１０Ｄは、中央の下部装飾具１１０Ａと同様に、複数の横長で薄板状の金属板１１２を、黒色系の太糸からなり横に多数列で密に並ぶ一定長さの連結紐１１３により、上下に部分的に互いに重なるように連結して吊り下げる構造をしている。
【００２６】
なお、３枚の下部装着具１１０Ｂ〜１１０Ｄの最下段の金属板１１２には赤色系の太糸からなる装飾紐１１７が装飾用に並列的に取り付けられている。
【００２７】
上記胴部用装飾具１１０は、最上段の金属板１１２に設けられた左右のホック１０８Ａを、胴部１０１の前面上部に設けられた左右のホック１０８Ａに留めることにより、胴部１０１の前面に吊り下げ、かつ、着脱ベルト１１５の連結部１１５Ａを胴部１０１の背中部１０４側で互いに連結させることにより、胴部１０１の前面に装着するようになっている。
【００２８】
胴部１０１の左右の肩部１０６には、図２に示すように、それぞれ肩部用装飾具１２０を取り付けるためのホック１０８Ｂが設けられている。肩部用装飾具１２０は、図４に示すように、複数の横長で薄板状の金属板１１２を、黒色系の太糸からなり横に多数列で密に並ぶ一定長さの連結紐１１３により、上下に部分的に互いに重なるように連結して吊り下げる構造をしている。また、最下段の金属板１１２には赤色系の太糸からなる装飾紐１１７が装飾用に並列的に取り付けられている。
【００２９】
上記肩部用装飾具１２０は、最上段の金属板１１２に設けられた左右のホック１０８Ｂを、肩部１０６に設けられた左右のホック１０８Ｂに留めることにより、肩部１０６に装着するようになっている。
【００３０】
左右の袖部１０２の先端部には、図２に示すように、それぞれ袖部用装飾具１３０を取り付けるためのホック１０８Ｃが設けられている。袖部用装飾具１３０は、図５（Ａ）（Ｂ）に示すように、手首から手の甲を包むことが可能な１枚の籠手形状の布部材からなり、表面に複数の金属製の装飾パーツ１３１、１３２が取り付けられるとともに、両側部に腕部装着用の面ファスナー１３３が取り付けられている。また、袖部用装飾具１３０の先端内面には指を掛けるためのフック状の指掛け紐１３４が取り付けられている。装飾パーツ１３１、１３２はアルミニウムや真鍮等の軽量な素材からなる。
【００３１】
上記袖部用装飾具１３０は、上端部に設けられた左右のホック１０８Ｃを、袖部１０２の先端部に設けられた左右のホック１０８Ｃに留めることにより、袖部１０２に装着するようになっている。
【００３２】
左右の脚部１０３には、図２に示すように、それぞれ脚部用装飾具１４０を取り付けるためのホック１０８Ｄが設けられている。脚部用装飾具１４０は、図６（Ａ）（Ｂ）に示すように、硬質の上部装飾具１４０Ａと、上部装飾具１４０Ａに取り付けられた布製の下部装飾具１４０Ｂからなり、上部装飾具１４０Ａおよび下部装飾具１４０Ｂの正面にそれぞれ金属製の装飾パーツ１４１、１４２が取り付けられている。下部装飾部１４０Ｂの両側部には脚部装着用の面ファスナー１４３が取り付けられている。装飾パーツ１４１、１４２はアルミニウムや真鍮等の軽量な素材からなる。
【００３３】
上記脚部用装飾具１４０は、下部装飾部１４０Ｂの上端部に設けられた左右のホック１０８Ｄを、脚部１０３の下端部に設けられた左右のホック１０８Ｄに留めることにより、脚部１０３に装着するようになっている。
【００３４】
頭部装着体２００は、図７に示すように、全体として兜状の形状をしており、頭部に被せられる略半球状のプラスチック素材からなるヘルメット部２０１を備えている。ヘルメット部２０１の側部から後部にかけて、下向きに広がる広幅の鍔部２１０が取り付けられている。
【００３５】
鍔部２１０は、複数の横長で薄板状の金属板２１２を、黒色系の太糸からなり横に多数列で密に並ぶ一定長さの連結紐２１３により、上下に部分的に互いに重なるように連結して吊り下げる構造をしている。最下段の金属板２１２には、それぞれ下端付近に赤色の太糸からなる装飾紐２１４が取り付けられている。金属板２１２はアルミニウムや真鍮等の軽量な素材からなる。
【００３６】
上記頭部装着体２００において、最下段を除く上下の各金属板２１２は、図７に示すように、前方に延びて左右に開くように曲成されており、正面から見える部分には、薄い金属製の補強部２１５が貼り付けられるとともに、薄い金属製の装飾パーツ２１６Ａと金属製の丸い装飾パーツ２１６Ｂが取り付けられている。
【００３７】
また、ヘルメット部２０１の表面には薄い金属製の複数の装飾パーツ２１７Ａと頂部の装飾パーツ２１７Ｂが取り付けられており、ヘルメット部２０１の前部には、薄い金属製の庇部２１８が取り付けられている。さらに、ヘルメット部２０１の内側面には、顎に掛けるための顎掛け紐２１９が取り付けられている。装飾パーツ２１６Ａ〜２１７Ｂ、庇部２１８はアルミニウムや真鍮等の軽量な素材からなる。
【００３８】
外装体３００は、図１に示すように、袖部がなく、前方の前垂れ部３０１と後方の背中部（図示せず）からなる陣羽織状の形状を有している。
【００３９】
次に、子供を例にして、上記構成の仮装用衣装セットＳの着用方法について説明する。
【００４０】
まず、図２を参照して、衣装本体１００のチャック部１０７を背中部１０４の腰部まで開いて、衣装本体１０を子供に着用させ、左右の脚部１０３に脚を通し、左右の袖部１０２に腕を通し、チャック部１０７を上まで閉じる。
【００４１】
次に、着用した衣装本体１００に、各装着具１１０〜１４０を装着する。具体的には、まず、胴部１０１の前部の左右のホック１０８Ａに胴部用装飾具１１０の左右のホック１０８Ａを留め、着脱ベルト１１５を左右から背中側に回して閉じ、これにより、胴部１０１の前部に胴部用装飾具１１０を装着する。
【００４２】
次に、左右の肩部１０６のホック１０８Ｂに肩部用装飾具１２０のホック１０８Ｂを留め、これにより、肩部１０６に肩部用装飾具１２０を装着する。次に、左右の袖部１０２のホック１０８Ｃに袖部用装飾具１３０のホック１０８Ｃを留め、左右に開いた状態から腕部の周囲に回して一対の面ファスナー１３３により固定する。これにより、袖部１０２の先端に袖部用装飾具１３０を装着する。次に、左右の脚部１０３のホック１０８Ｄに脚部用装飾具１４０のホック１０８Ｄを留め、下部装飾部１４０Ｂを左右に開いた状態から脚部の周囲に回して一対の面ファスナー１４３により固定する。これにより、脚部１０３の下端に脚部用装飾具１４０を装着する。
【００４３】
なお、各装着具１１０〜１４０（特に、装着具１１０〜１３０）は、着用前に予め衣装本体１００にホックにより装着してもよい。
【００４４】
次に、頭部装着体２００を子供の頭部に上から被せ、顎掛け紐２１９を顎に掛けて、頭部装着体２００を子供の頭部に装着する。最後に、衣装本体１００の上から外装体３００を着用させ、これにより仮装用衣装セットＳの着用が完成する。
【００４５】
上記構成の仮装用衣装セットＳによると、次のような効果を奏する。
【００４６】
（１）多数枚の薄い金属板１１２、２１２と黒色系の太糸からなる連結紐１１３、２１３を用いて、鎧状の胴部用装飾具１１０および肩部用装飾具１２０、兜状の頭部装飾体２００を製作でき、また、布素材と金属製の装飾パーツを用いて袖部用装飾具１３０および脚部用装飾具１４０を製作できるから、製作された仮装用衣装セットＳは、本物の甲冑に形状が近く、本物志向のユーザーに十分な満足を与えることができる。
【００４７】
（２）軽量な素材を用いているので、全部を着用しても従来の甲冑型の衣装よりも軽量であり、また、背面のチャック部１０７を開け閉めして容易に着脱させることができるので、体の小さい子供、多くの観光地を回りたいと考える観光客のニーズに十分応えることができる。
【００４８】
（３）金属板１１２、２１２および連結紐１１３、２１３はそれぞれ材質および形状を共通化し、長さを調整して使用することで、衣装セットを安価に製作することが可能である。
【００４９】
（４）各装飾具１１０〜１４０はパーツを取り換えることで、また、頭部装飾体２００は装飾パーツを取り換えることで、仮装の応用度、自由度が増し、例えば様々な人気の戦国武将のいで立ちを再現することができる。
【００５０】
なお、上記実施形態の仮装用衣装セットＳは、子供用のサイズとしたが、これに限らず、大人用のサイズのものを製作してもよい。
【００５１】
かくして、本発明によれば、着用しやすく、軽量でありながら、本物志向の仮装用衣装セットを実現することができた。
【産業上の利用可能性】
【００５２】
本発明に係る仮装用衣装セットは、子供向け、大人向け、観光客向け等に着用できる仮装用衣装セットとして、幅広く利用可能である。
【符号の説明】
【００５３】
１００  衣装本体
１０１  胴部
１０２  袖部
１０３  脚部
１０４  背中部
１０５  上端開口部
１０６  肩部
１０７  チャック部
１０８Ａ，１０８Ｂ，１０８Ｃ，１０８Ｄ  ホック
１１０  胴部用装飾具
１１０Ａ，１４０Ａ  上部装飾具
１１０Ｂ，１１０Ｃ，１１０Ｄ，１４０Ｂ  下部装飾具
１１２，２１２  金属板
１１３，２１３  連結紐
１１４  ベルト通し部
１１５  着脱ベルト
１１６  ベルト固定部
１１７，２１４  装飾紐
１２０  肩部用装飾具
１３０  袖部用装飾具
１３１，１３２，１４１，１４２，２１６Ａ，２１６Ｂ，２１７Ａ，２１７Ｂ  装飾パーツ
１３３、１４３  面ファスナー
１３４  指掛け紐
１４０  脚部用装飾具
２００  頭部装着体
２０１  ヘルメット部
２１５  補強部
２１８  庇部
２１９  顎掛け紐
３００  外装体
３０１  前垂れ部
Ｓ  仮装用衣装セット
【図１】
2020033670.tif 000003
【図２】
2020033670.tif 000004
【図３】
2020033670.tif 000005
【図４】
2020033670.tif 000006
【図５】
2020033670.tif 000007
【図６】
2020033670.tif 000008
【図７】
2020033670.tif 000009